(57)【特許請求の範囲】
【請求項１】
側部に複数の内外貫通部を有して天井材の埋込穴に嵌合される器具本体と、前記器具本体を天井材に係止する本体取付ばね部を有するとともに前記内外貫通部を通して前記器具本体の内側に位置する回転リング受け部を前記本体取付ばね部と一体に有して前記器具本体に取付けられた部材と、前記器具本体の内側に位置して前記回転リング受け部に回転自在に支持された回転リングと、この回転リングに軸支された灯具とを備えた埋込型照明器具。
【請求項２】
前記部材は、前記回転リング受け部に係載された前記回転リングが浮き上がるのを防止する浮上り規制部を設けている請求項１記載の埋込型照明器具。
【発明の詳細な説明】
【０００１】
【発明の属する技術分野】
この発明は、埋込型照明器具に関するものである。
【０００２】
【従来の技術】
照射方向を変えることができるようにした従来の埋込型照明器具を図１３および図１４に示す。すなわち、１００は天井材の埋込穴に埋設される器具本体、１００ａは天井材に係止する本体取付ばね、１０１は器具本体１００に取付けられた回転リング受け金具、１０２は回転リング受け１０１に回転自在に支持された回転リング、１０３は回転リング１０２に軸支された灯具、１０４はそのランプソケット、１０５はそのランプである。
【０００３】
灯具１０３を回転リング１０２に対して水平軸心回りに回動して照射方向を変え、また回転リング１０２を回転リング受け金具１０１に対して垂直軸心回りに回動してさらに照射方向を変える。
【０００４】
【発明が解決しようとする課題】
しかし、この回転リング１０２を受けるリング受け金具１０１と、本体取付ばね１００ａが別部品で構成されていたため、部品点数が多く、またそれぞれ別々に器具本体１００に取付けなければならないので、組立工程が多くなるという欠点があった。
【０００５】
したがって、この発明の目的は、部品点数を削減し、組立工程を簡易化できる埋込型照明器具を提供することである。
【０００６】
【課題を解決するための手段】
請求項１の埋込型照明器具は、側部に複数の内外貫通部を有して天井材の埋込穴に嵌合される器具本体と、前記器具本体を天井材に係止する本体取付ばね部を有するとともに前記内外貫通部を通して前記器具本体の内側に位置する回転リング受け部を前記本体取付ばね部と一体に有して前記器具本体に取付けられた部材と、前記器具本体の内側に位置して前記回転リング受け部に回転自在に支持された回転リングと、この回転リングに軸支された灯具とを備えたものである。
【０００７】
請求項１の埋込型照明器具によれば、部材により本体取付ばね部と回転リング受け部とを一体に形成したため、部品点数を削減でき、組立工程を簡易化することができる。
請求項２の埋込型照明器具は、請求項１において、前記部材が、前記回転リング受け部に係載された前記回転リングが浮き上がるのを防止する浮上り規制部を設けているものである。
【０００８】
請求項２の埋込型照明器具によれば、請求項１の効果のほか、浮上り規制部により回転リングの浮上りを規制し回転リング受け部からの外れを防止することができる。
【０００９】
【発明の実施の形態】
この発明の第１の実施の形態を図１ないし図３により説明する。すなわち、この埋込型照明器具は、器具本体１と、部材２と、回転リング３と、灯具４とを有する。
器具本体１は、側部に複数の内外貫通部５を有して天井材６の埋込穴７に嵌合される。実施の形態の器具本体１は有天円筒形であり、内外貫通部５は図３に示すように横長の長方形状の孔により形成し、下端開口縁に外つば８を形成し、また天部１３に山形の端子台支持部９を架設し、その間に電線挿通部１０を形成している。１５は端子台支持部９の端子台、１６はリード線である。
【００１０】
部材２は、器具本体１を天井材６に係止する本体取付ばね部１１を有するとともに、内外貫通部５を通して器具本体１の内側に位置する回転リング受け部１２を本体取付ばね部１１と一体に有して、器具本体１に取付けられている。実施の形態の部材２はばね性を有する帯板状のステンレス製であり、その中間部２ａを垂直姿勢で器具本体１の側面に沿わせ、その中間部２ａにねじ挿通孔１９を形成し（図３）、器具本体１に形成したねじ孔１７に整合して取付ねじ１８により器具本体１に取付けている。本体取付ばね部１１は中間部２ａの下端より中間部２ａと略Ｖ字形をなすように外方に延出しており、回転リング受け部１２は内外貫通部５を通して器具本体１の内部に進入する水平片２０とその先端に設けた立ち上がり片２１とからなっている。
【００１１】
回転リング３は、回転リング受け部１２に回転自在に支持されている。この回転リング３は回転リング受け部１２の立ち上がり片２１を乗り越えて水平片２０に係載するリング体２２と、リング体２２の内側より垂下した一対の保持片２３とからなり、保持片２３にそれぞれ連結ねじ２６とナット２７を用いた軸支部２５を設けている。
【００１２】
灯具４は、回転リング３に軸支されるもので、灯具４に形成した孔４ａに連結ねじ２６が通され、ナット２７で締付けられて連結され軸支されている。２８はランプソケット、２９は反射鏡、３６はランプである。
この埋込型照明器具は、本体取付ばね部１１の先端を器具本体１に接近させた状態で埋込穴７に挿入し、本体取付ばね部１１の先端を開放してその弾性により天井材６の裏面側に係止し、器具本体１を天井裏側に押し上げ外つば８を天井材６に係止させ取付け状態とする。灯具４を軸支部２５を支点に回動すると灯具４が水平軸心回りに照射方向を変える。また回転リング３を回転リング受け部１１に摺動しつつ器具本体１の内面にガイドさせて回転すると、それに伴って灯具４が垂直軸心回りに照射方向を変える。
【００１３】
この実施の形態によれば、部材２により本体取付ばね部１１と回転リング受け部１２とを一体に形成したため、部品点数を削減でき、組立工程を簡易化することができる。
この発明の第２の実施の形態を図４ないし図６に示す。すなわち、この埋込型照明器具は、第１の実施の形態において、部材２が、回転リング受け部１２に係載された回転リング３が浮き上がるのを防止する浮上り規制部３０を設けている。実施の形態では図６に示すように器具本体１の内外貫通部５の上側に別の孔３１を設け、また部材２の中間部２ａの上端部に切起こしにより回転リング受け部１２を形成し、さらに中間部２ａの上端縁を内方に折曲して孔３１より器具本体１の内部に進入する浮上り規制部３０を設けている。図５に示すように、灯具４を押し上げる外力が加わっても、浮上り規制部３０により回転リング３の浮上りを規制し回転リング受け部１２からの外れを防止することができる。
【００１４】
また浮上り規制部３０を部材２に一体に形成したため、より一層部品点数を削減でき、組立容易になる。
その他は、第１の実施の形態と同様である。
この発明の第３の実施の形態を図７ないし図９に示す。すなわち、この埋込型照明器具は、第１の実施の形態において、部材２が、浮上り規制部３０を取付ねじ１８により兼用しているもので、中間部２ａの上端にねじ挿通孔１９を形成し、このねじ挿通孔１９に取付ねじ１８を挿通し、孔３１に代えて取付ねじ孔３１′を形成している。この場合、取付ねじ１８の先端で回転リング３の浮上りを規制し、また部材２の構造が簡単になり、別途に浮上り規制部３０を加工する必要がない。
【００１５】
その他は第２の実施の形態と同様である。
この発明の第４の実施の形態を図１０ないし図１２に示す。すなわち、この埋込型照明器具は、第３の実施の形態において、部材２の中間部２ａの上端を折返し、その先端をさらに折曲して回転リング受け部１２を形成し、また折返し部分に浮上り規制部３０を兼用した取付ねじ１８を通すねじ挿通孔１９を形成している。その他は第３の実施の形態と同様である。
【００１６】
【発明の効果】
請求項１の埋込型照明器具によれば、部材により本体取付ばね部と回転リング受け部とを一体に形成したため、部品点数を削減でき、組立工程を簡易化することができる。
請求項２の埋込型照明器具によれば、請求項１の効果のほか、浮上り規制部により回転リングの浮上りを規制し回転リング受け部からの外れを防止することができる。
【図面の簡単な説明】
【図１】この発明の第１の実施の形態の断面図である。
【図２】その要部拡大図である。
【図３】その分解斜視図である。
【図４】第２の実施の形態の断面図である。
【図５】その要部拡大図である。
【図６】その分解斜視図である。
【図７】第３の実施の形態の断面図である。
【図８】その要部拡大図である。
【図９】その分解斜視図である。
【図１０】第４の実施の形態の断面図である。
【図１１】その要部拡大図である。
【図１２】その分解斜視図である。
【図１３】従来例の半断面側面図である。
【図１４】その部分拡大図である。
【符号の説明】
１    器具本体
２    部材
３    回転リング
４    灯具
５    内外貫通部
６    天井材
７    埋込穴
１１    本体取付ばね部
１２    回転リング受け部
３０    浮上り規制部
【図１】
0003841904.tif 000002
【図２】
0003841904.tif 000003
【図３】
0003841904.tif 000004
【図４】
0003841904.tif 000005
【図５】
0003841904.tif 000006
【図６】
0003841904.tif 000007
【図７】
0003841904.tif 000008
【図８】
0003841904.tif 000009
【図９】
0003841904.tif 000010
【図１０】
0003841904.tif 000011
【図１１】
0003841904.tif 000012
【図１２】
0003841904.tif 000013
【図１３】
0003841904.tif 000014
【図１４】
0003841904.tif 000015